(57)【要約】【課題】複雑な制御を必要とせずに、安定して同期タイミングを選択することができる同期タイミング選択回路を提供する。【解決手段】ＵＷ検出器１０から出力されるＵＷ検出信号ＤＥＴ１〜ＤＥＴ４の中からセレクタ３３Ｓで非優先ＵＷ検出信号ＮＰＤＥＴを選択し、この非優先ＵＷ検出信号ＮＰＤＥＴと優先ＵＷ選択回路２０で選択された優先ＵＷ検出信号ＰＤＥＴとの内の一方をセレクタ３４Ｓで選択する。そして、各タイムスロットに対応して設けられたセレクタ３１１〜３１４において、補正オンのときはＵＷ検出信号ＤＥＴ１〜ＤＥＴ４を選択し、補正オフのときはセレクタ３４Ｓの出力を選択して、補正タイミング信号ＣＭＰ１〜ＣＭＰ４としてタイミング制御回路４０に出力する。【選択図】図１
2007150532.tif 000002
【特許請求の範囲】
【請求項１】
時分割多元接続方式で複数のタイムスロット毎に送信されてくるデータの中からユニークワードを検出して得られた複数のユニークワード検出信号と該ユニークワード検出信号の中から予め選択された優先ユニークワード検出信号から、各タイムスロット毎に送受信のタイミングを補正するための補正タイミング信号を選択する同期タイミング選択回路であって、
非優先ユニークワード選択信号に基づいて前記複数のユニークワード検出信号の中から１つを選択し、非優先ユニークワード検出信号として出力する第１のセレクタと、
優先／非優先選択信号に基づいて、前記優先ユニークワード検出信号または前記非優先ユニークワード検出信号のいずれか一方を選択して出力する第２のセレクタと、
前記複数のタイムスロット毎に設けられ、補正オン／オフ信号に従って該補正オン／オフ信号がオンの時は対応するユニークワード検出信号を選択し、該補正オン／オフ信号がオフの時は前記第２のセレクタの出力信号を選択して補正タイミング信号として出力する第３の複数のセレクタとを、
有することを特徴とする同期タイミング選択回路。
【請求項２】
時分割多元接続方式で複数のタイムスロット毎に送信されてくるデータの中からユニークワードを検出して得られた複数のユニークワード検出信号と該ユニークワード検出信号の中から予め選択された優先ユニークワード検出信号から、各タイムスロット毎に送受信のタイミングを補正するための補正タイミング信号を選択する同期タイミング選択回路であって、
前記複数のタイムスロット毎に設けられ、それぞれ与えられる非優先ユニークワード選択信号に基づいて前記複数のユニークワード検出信号の内の１つを選択して非優先ユニークワード検出信号として出力する複数の第１のセレクタと、
前記複数の第１のセレクタ毎に設けられ、それぞれ与えられる優先／非優先ユニークワード選択信号に基づいて、前記優先ユニークワード検出信号または前記非優先ユニークワード検出信号のいずれか一方を選択して出力する複数の第２のセレクタと、
前記複数のタイムスロット毎に設けられ、補正オン／オフ信号に従って該補正オン／オフ信号がオンの時は対応するユニークワード検出信号を選択し、該補正オン／オフ信号がオフの時は対応する前記第２のセレクタの出力信号を選択して補正タイミング信号として出力する第３の複数のセレクタとを、
有することを特徴とする同期タイミング選択回路。
【請求項３】
時分割多元接続方式で複数のタイムスロット毎に送信されてくるデータの中からユニークワードを検出して得られた複数のユニークワード検出信号と該ユニークワード検出信号の中から予め選択された優先ユニークワード検出信号から、各タイムスロット毎に送受信のタイミングを補正するための補正タイミング信号を選択する同期タイミング選択回路であって、
前記複数のタイムスロット毎に設けられ、それぞれ与えられるユニークワード選択信号に基づいて、対応するタイムスロット以外のユニークワード検出信号と前記優先ユニークワード検出信号の内の１つを選択して出力する複数の第１のセレクタと、
前記複数のタイムスロット毎に設けられ、補正オン／オフ信号に従って該補正オン／オフ信号がオンの時は対応するユニークワード検出信号を選択し、該補正オン／オフ信号がオフの時は対応する前記第１のセレクタの出力信号を選択して補正タイミング信号として出力する第２の複数のセレクタとを、
有することを特徴とする同期タイミング選択回路。
【発明の詳細な説明】
【技術分野】
【０００１】
本発明は、ＴＤＭＡ(Time Division Multiple Access：時分割多元接続）方式の無線送受信機における同期タイミング選択回路に関するものである。
【背景技術】
【０００２】
図２は、従来の無線送受信機の概略の構成図である。
この無線送受信機は、ＰＨＳ(Personal Handyphone System)の移動局(Personal Station)として用いられるＴＤＭＡ−ＴＤＤ方式のものである。ＰＨＳでは、サービス地域をセルと呼ばれる複数のエリアに分割し、各エリアに基地局(Cell Station)を配置し、移動局は自局が現在存在するエリアの基地局との間で通信を行うものである。移動局の移動に伴って他のエリアに移る場合には、電波強度等を監視して接続する基地局を変更することによって、通信の継続が保たれるようになっている。また、ＴＤＭＡ−ＴＤＤ方式は、通信チャネルを時間的に分割し、分割した時間（タイムスロット）を複数の移動局に割り当てると共に、割り当てられた移動局と基地局との間で交互に送受信を切り替えて通信を行う方式である。基地局と移動局は、周期的に割り当てられたタイムスロットに、送受信の同期を確立するためのユニークワード(Unique Word：ＵＷ）と呼ばれる固定パターンを含む一定長のデータを送受信するようになっている。
【０００３】
この無線送受信機は、図２に示すように、アンテナ１とこれに接続される切替回路２を有している。切替回路２は、受信時にアンテナ１で受信した高周波信号を受信回路３へ出力し、送信時には高周波信号をアンテナ１へ送り出すものである。受信回路３は、受信した高周波信号の中から受信チャネル選択信号ＲＣＨに従って所望のチャネルの信号を選択し、変調された受信信号を取り出して復調回路４へ与えるものである。復調回路４は、変調された受信信号をベースバンド信号に復調して受信バッファ５とＵＷ検出回路１０に与えるものである。
【０００４】
受信バッファ５は、受信タイミング信号ＲＴＭに従い、受信されたベースバンド信号を受信データとして一時的に保存するものである。受信バッファ５に保存された受信データは、ＣＰＵ(Central Processing Unit）６に取り込まれるようになっている。ＣＰＵ６は、受信データの解析及び送信データの作成等の他、この無線送受信機全体の制御管理を行うものである。ＣＰＵ６には、送信データを一時的に保存する送信バッファ７が接続されている。送信バッファ７は、送信タイミング信号ＴＴＭに従い、保存されている送信データを変調回路８へ出力するようになっている。
【０００５】
変調回路８は、送信バッファ７から与えられた送信データを変調して送信回路９に与えるものである。送信回路９は、変調回路８から与えられた送信信号を、送信チャネル選択信号ＴＣＨに従って所望のチャネルの高周波信号に変換し、切替回路２を介してアンテナ１から送信するものである。
【０００６】
一方、ＵＷ検出回路１０は、復調回路４で復調されたベースバンド信号の中からユニークワードを検出し、その検出したタイミングをＵＷ検出信号ＤＥＴ１，ＤＥＴ２，ＤＥＴ３，ＤＥＴ４として出力するものである。なお、これらのＵＷ検出信号ＤＥＴ１〜ＤＥＴ４は、時分割されたタイムスロット毎にユニークワードが検出されたタイミングを示すものである。
【０００７】
このＵＷ検出回路１０は、復調回路４から出力されるベースバンド信号のデータ列がユニークワードの固定パターンと一致したときに一致信号を出力するＵＷ検出器１１と、タイムスロット番号を指定するスロット指定信号ＳＬＴに従って一致信号をタイムスロット毎に振り分けてＵＷ検出信号ＤＥＴ１〜ＤＥＴ４として出力するセレクタ（ＳＥＬ）１２で構成されている。これらのＵＷ検出信号ＤＥＴ１〜ＤＥＴ４は、優先ＵＷ選択回路２０と同期タイミング選択回路３０に与えられている。
【０００８】
優先ＵＷ選択回路２０は、ＵＷ検出信号ＤＥＴ１〜ＤＥＴ４の内から１つのＵＷ検出信号を選択して優先ＵＷ検出信号ＰＤＥＴとして出力するもので、セレクタ２１とこのセレクタ２１に対する選択信号を保持するレジスタ２２で構成されている。なお、レジスタ２２の値は、ＣＰＵ６から設定されるようになっている。
【０００９】
同期タイミング選択回路３０は、タイムスロット毎に、ＵＷ検出回路１０から出力されるＵＷ検出信号ＤＥＴ１〜ＤＥＴ４、または優先ＵＷ選択回路２０で選択された優先ＵＷ検出信号ＰＤＥＴのいずれか一方を選択して、補正タイミング信号ＣＭＰ１，ＣＭＰ２，ＣＭＰ３，ＣＭＰ４として出力するものである。この同期タイミング選択回路３０は、第１入力側にそれぞれＵＷ検出信号ＤＥＴ１，ＤＥＴ２，ＤＥＴ３，ＤＥＴ４が与えられ、第２入力側には優先ＵＷ検出信号ＰＤＥＴが共通に与えられるセレクタ３１１，３１２，３１３，３１４と、これらのセレクタ３１１〜３１４に対する個別の選択信号を保持するレジスタ３２で構成されている。なお、レジスタ３２の値は、ＣＰＵ６から設定されるようになっている。各セレクタ３１１〜３１４から出力される補正タイミング信号ＣＭＰ１〜ＣＭＰ４は、タイミング制御回路４０に与えられるようになっている。
【００１０】
タイミング制御回路４０は、補正タイミング信号ＣＭＰ１〜ＣＭＰ４及びクロック信号ＣＬＫと、ＣＰＵ６からの設定に基づいて、受信チャネル選択信号ＲＣＨ、送信チャネル選択信号ＴＣＨ、受信タイミング信号ＲＴＭ、送信タイミング信号ＴＴＭ、スロット指定信号ＳＬＴを含む各種の送受信用のタイミング信号を生成するものである。
【００１１】
図３（ａ）〜（ｃ）は、図２の動作説明図である。以下、この図３を参照しつつ、図２の動作を説明する。
【００１２】
図３（ａ）は、図２の無線送受信機が使用されるＰＨＳにおける送受信タイムスロットの構成を示している。
【００１３】
１スロットのシンボル数は１２０シンボル、シンボルクロックの周波数は１９２ｋＨｚである。１２０シンボルの中に、ユニークワードＵＷが含まれている。
【００１４】
基地局ＣＳから移動局ＰＳへ送信する４スロットと、移動局ＰＳから基地局ＣＳへ送信する４スロットの合計８スロットで１フレームが構成され、このフレームが５ｍｓ周期で繰り返される。そして、スロットｉ（例えば、スロット１）を割り当てられた移動局ＰＳは、基地局ＣＳから移動局ＰＳへのｉ番目のスロットで送られてくる送信信号ＴＸｉを受信し、移動局ＰＳから基地局ＣＳへのｉ番目のスロットを使用して送信するようになっている。
【００１５】
図２の無線送受信機が通信を開始するときには、まず、受信チャネル選択信号ＲＣＨと送信チャネル選択信号ＴＣＨによって固有の制御チャネルを選択し、基地局ＣＳから送受信タイムスロットに従って周期的に送信されてくる制御信号を受信する。この時、同期タイミング選択回路３０では、各セレクタ３１１〜３１４を第１入力側に切り替え、ＵＷ検出回路１０で検出されるＵＷ検出信号ＤＥＴ１〜ＤＥＴ４を、タイミング制御回路４０に与えるようにする。これにより、基地局ＣＳとの間でのフレーム同期が確立され、所定の接続シーケンスを行うことにより、通信に使用するチャネル番号とスロット番号が指定される。
【００１６】
次に、移動局ＰＳは、基地局ＣＳからの指定に従い、受信チャネル選択信号ＲＣＨと送信チャネル選択信号ＴＣＨを指定されたチャネル番号に変更する。また、優先ＵＷ選択回路２０に、指定されたスロット番号（例えば、スロット１）を設定し、同期タイミング選択回路３０では、セレクタ３１２〜３１４の中の使用していないスロットに対応するセレクタを第２入力側に切り替え、優先ＵＷ検出信号ＰＤＥＴを選択するように設定する。これにより、同期タイミング選択回路３０から出力される補正タイミング信号ＣＭＰ１〜ＣＭＰ４は、実際に通信を行うスロット１の外、通信を行わないスロット２〜４も、このスロット１のタイミング（即ち、基地局ＣＳのタイミング）となるように補正される。
【００１７】
図３（ｂ）に示すように、最初の基地局ＣＳ１との間でスロット１を使用して通信を行っている内に、移動局ＰＳの移動に伴って受信状態が悪化することがある。移動局ＰＳは、スロット１で基地局ＣＳ１との間の通信を継続している状態で、使用していないスロット２の制御チャネルをサーチし、他の基地局ＣＳ２からの制御信号を受信する。この場合、同期タイミング選択回路３０のセレクタ３１２を第１入力側に切り替えると共に、スロット２のタイミングでは、制御チャネルを受信するように受信回路３に対する受信チャネル選択信号ＲＣＨを設定する。
【００１８】
スロット２の期間に基地局ＣＳ２からの制御信号が受信され、その受信信号からユニークワードが検出されると、ＵＷ検出回路１０からＵＷ検出信号ＤＥＴ２が出力される。従って、同期タイミング選択回路３０から同じタイミングで補正タイミング信号ＣＭＰ２が出力され、タイミング制御回路４０に与えられる。これにより、スロット２のタイミングは、基地局ＣＳ２のタイミングに一致するように補正される。
【００１９】
これにより、基地局ＣＳ１，ＣＳ２のタイミングがずれていても、基地局ＣＳ２との間で、スロット２を用いて基地局間の移動のためのハンドオーバー処理が可能になる。
【００２０】
【特許文献１】特開２００４−１７９８８７号公報
【特許文献２】特開２００４−３５７０１５号公報
【発明の開示】
【発明が解決しようとする課題】
【００２１】
しかしながら、前記無線送受信機では、次のような課題があった。
図３（ｂ）に示すように、基地局ＣＳ２との間で制御チャネルのスロット２を使用してハンドオーバー処理を行い、切り替え先の通信チャネルのスロット３を指定されたとする。移動局ＰＳは、スロット３に対応する受信チャネル選択信号ＲＣＨと送信チャネル選択信号ＴＣＨを指定された通信チャネルに設定すると共に、この指定された通信チャネルのスロット３のタイミングでアイドルバーストを送信する。アイドルバーストは、指定されたチャネルで送受信が可能か否かを判定するために、実際の通信に先立って送信する無情報の信号である。しかし、この時点でのスロット３のタイミングは、優先ＵＷ検出信号ＰＤＥＴ、即ちスロット１のＵＷ検出信号ＤＥＴ１に補正されている。従って、基地局ＣＳ１のタイミングに同期しており、基地局ＣＳ２のタイミングに一致しているとは限らない。このため、基地局ＣＳ１，ＣＳ２のタイミングがずれている場合には、移動局ＰＳから送信したアイドルバーストを、基地局ＣＳ２で受信できなくなり、ハンドオーバー失敗となることがある。
【００２２】
このような状態を回避するために、図３（ｂ）で基地局ＣＳ２からのスロット２のユニークワードが検出されたときに、優先ＵＷ選択回路２０のレジスタ２２の設定をスロット２に変更し、使用していないスロット３，４のタイミングを基地局ＣＳ２に同期させる処理を行っている。しかし、通信中に優先スロットの切り替えを行うことは、通信品質の低下を招くおそれがあるだけでなく、安定した切り替えを行うためには複雑な制御が必要となるので望ましくない。
【００２３】
本発明は、複雑な制御を必要とせずに、安定して同期タイミングを選択することができる同期タイミング選択回路を提供することを目的としている。
【課題を解決するための手段】
【００２４】
本発明は、時分割多元接続方式で複数のタイムスロット毎に送信されてくるデータの中からユニークワードを検出して得られた複数のユニークワード検出信号と該ユニークワード検出信号の中から予め選択された優先ユニークワード検出信号から、各タイムスロット毎に送受信のタイミングを補正するための補正タイミング信号を選択する同期タイミング選択回路を、次のように構成している。
【００２５】
即ち、この同期タイミング選択回路は、非優先ユニークワード選択信号に基づいて前記複数のユニークワード検出信号の中から１つを選択し、非優先ユニークワード検出信号として出力する第１のセレクタと、優先／非優先選択信号に基づいて、前記優先ユニークワード検出信号または前記非優先ユニークワード検出信号のいずれか一方を選択して出力する第２のセレクタと、前記複数のタイムスロット毎に設けられ、補正オン／オフ信号に従って該補正オン／オフ信号がオンの時は対応するユニークワード検出信号を選択し、該補正オン／オフ信号がオフの時は前記第２のセレクタの出力信号を選択して補正タイミング信号として出力する第３の複数のセレクタとを有することを特徴としている。
【発明の効果】
【００２６】
本発明では、第１のセレクタで非優先ユニークワード検出信号を選択し、第２のセレクタで優先ユニークワード検出信号または非優先ユニークワード検出信号の一方を選択し、第３のセレクタでタイムスロット毎に補正のオン／オフに応じて対応するユニークワード検出信号または第２のセレクタの出力信号を補正タイミング信号として出力するように構成している。これにより、予め選択された優先ユニークワード検出信号を変更することなく、安定したタイムスロット切り替えを行うことができるという効果がある。
【発明を実施するための最良の形態】
【００２７】
同期タイミング選択回路を、複数のタイムスロット毎に設けられてそれぞれ与えられるユニークワード選択信号に基づいて、対応するタイムスロット以外のユニークワード検出信号と優先ユニークワード検出信号の内の１つを選択して出力する複数の第１のセレクタと、複数のタイムスロット毎に設けられて補正オン／オフ信号がオンの時は対応するユニークワード検出信号を選択し、この補正オン／オフ信号がオフの時は対応する第１のセレクタの出力信号を選択して補正タイミング信号として出力する第２の複数のセレクタとで構成する。
【実施例１】
【００２８】
図１は、本発明の実施例１を示す無線送受信機の概略の構成図であり、図２中の要素と共通の要素には共通の符号が付されている。
【００２９】
この無線送受信機は、ＰＨＳの移動局として用いられるＴＤＭＡ−ＴＤＤ方式のもので、アンテナ１とこれに接続される切替回路２を有している。切替回路２は、受信時にアンテナ１で受信した高周波信号を受信回路３へ出力し、送信時には高周波信号をアンテナ１へ送り出すものである。受信回路３は、受信した高周波信号の中から受信チャネル選択信号ＲＣＨに従って所望のチャネルの信号を選択し、変調された受信信号を取り出して復調回路４へ与えるものである。復調回路４は、変調された受信信号をベースバンド信号に復調して受信バッファ５とＵＷ検出回路１０に与えるものである。
【００３０】
受信バッファ５は、受信タイミング信号ＲＴＭに従い、受信されたベースバンド信号を受信データとして一時的に保存するものである。受信バッファ５に保存された受信データは、ＣＰＵ６に取り込まれるようになっている。ＣＰＵ６は、受信データの解析及び送信データの作成等の他、この無線送受信機全体の制御管理を行うものである。ＣＰＵ６には、送信データを一時的に保存する送信バッファ７が接続されている。送信バッファ７は、送信タイミング信号ＴＴＭに従い、保存されている送信データを変調回路８へ出力するものである。
【００３１】
変調回路８は、送信バッファ７から与えられた送信データを変調して送信回路９に与えるものである。送信回路９は、変調回路８から与えられた送信信号を、送信チャネル選択信号ＴＣＨに従って所望のチャネルの高周波信号に変換し、切替回路２を介してアンテナ１から送信するようになっている。
【００３２】
一方、ＵＷ検出回路１０は、復調回路４で復調されたベースバンド信号の中からユニークワードを検出し、その検出したタイミングをＵＷ検出信号ＤＥＴ１，ＤＥＴ２，ＤＥＴ３，ＤＥＴ４として出力するものである。このＵＷ検出回路１０は、復調回路４から出力されるベースバンド信号のデータ列たユニークワードの固定パターンと一致したときに一致信号を出力するＵＷ検出器１１と、タイムスロット番号を指定するスロット指定信号ＳＬＴに従って一致信号をタイムスロット毎に振り分けてＵＷ検出信号ＤＥＴ１〜ＤＥＴ４として出力するセレクタ１２で構成されている。これらのＵＷ検出信号ＤＥＴ１〜ＤＥＴ４は、優先ＵＷ選択回路２０と同期タイミング選択回路３０Ａに与えられている。
【００３３】
優先ＵＷ選択回路２０は、ＵＷ検出信号ＤＥＴ１〜ＤＥＴ４の内から１つのＵＷ検出信号を選択して優先ＵＷ検出信号ＰＤＥＴとして出力するもので、セレクタ２１とこのセレクタ２１に与える優先ＵＷ選択信号を保持するレジスタ２２で構成されている。なお、レジスタ２２の値は、ＣＰＵ６から設定されるようになっている。
【００３４】
同期タイミング選択回路３０Ａは、ＵＷ検出信号ＤＥＴ１〜ＤＥＴ４の内から１つのＵＷ検出信号を選択して非優先ＵＷ検出信号ＮＰＤＥＴとして出力するセレクタ３３Ｓと、このセレクタ３３Ｓに与える非優先ＵＷ選択信号を保持するレジスタ３３Ｒを有している。セレクタ３３Ｓの出力側は、セレクタ３４Ｓの第１入力側に接続され、このセレクタ３４Ｓの第２入力側には優先ＵＷ検出信号ＰＤＥＴが与えられるようになっている。セレクタ３４Ｓは、レジスタ３４Ｒに保持された優先／非優先選択信号に従って切り替えられるようになっている。
【００３５】
更に、この同期タイミング選択回路３０Ａは、第１入力側にそれぞれＵＷ検出信号ＤＥＴ１〜ＤＥＴ４が与えられ、第２入力側にはセレクタ３４Ｓから出力される検出信号が共通に与えられるセレクタ３１１，３１２，３１３，３１４と、これらのセレクタ３１１〜３１４に対する個別の補正オン／オフ信号を保持するレジスタ３２を有している。これらのセレクタ３１１〜３１４は、補正オン／オフ信号がオンのときにＵＷ検出回路１０からのＵＷ検出信号ＤＥＴ１〜４を選択し、オフのときにはセレクタ３４Ｓから出力される検出信号を選択するものである。そして、セレクタ３１１〜３１４から、それぞれ補正タイミング信号ＣＭＰ１，ＣＭＰ２，ＣＭＰ３，ＣＭＰ４が出力されるようになっている。なお、レジスタ３２，３３Ｒ，３４Ｒの値は、ＣＰＵ６から設定され、補正タイミング信号ＣＭＰ１〜ＣＭＰ４は、タイミング制御回路４０に与えられるようになっている。
【００３６】
タイミング制御回路４０は、補正タイミング信号ＣＭＰ１〜ＣＭＰ４及びクロック信号ＣＬＫと、ＣＰＵ６からの設定に基づいて、受信チャネル選択信号ＲＣＨ、送信チャネル選択信号ＴＣＨ、受信タイミング信号ＲＴＭ、送信タイミング信号ＴＴＭ、スロット指定信号ＳＬＴを含む各種の送受信用のタイミング信号を生成するものである。
【００３７】
図４は、図１の無線送受信機におけるハンドオーバー処理の動作説明図である。
【００３８】
この無線送受信機における同期タイミング選択回路３０Ａ以外の動作は、図２の無線送受信機と同様であるので、ここでは、図１の無線送受信機の動作を、同期タイミング選択回路３０Ａを中心に説明する。
【００３９】
通信を開始する移動局ＰＳは、基地局ＣＳ１との間でのフレーム同期が確立され、所定の接続シーケンスを行うことにより、通信に使用するチャネル番号とスロット番号（ここでは、スロット１として説明を行う）が指定される。移動局ＰＳは、受信チャネル選択信号ＲＣＨと送信チャネル選択信号ＴＣＨを指定されたチャネル番号に変更すると共に、指定されたスロット番号（スロット１）に対するＵＷ検出信号ＤＥＴ１を、優先ＵＷ選択回路２０で選択する。
【００４０】
また、同期タイミング選択回路３０Ａでは、補正オン／オフ信号によってセレクタ３１２〜３１４の中の使用していないスロットに対応するセレクタをオフ側（第２入力側）に切り替え、セレクタ３４Ｓの出力を選択するように設定する。更に、セレクタ３４Ｓが優先ＵＷ検出信号ＰＤＥＴを選択するように、レジスタ３４Ｒの優先／非優先選択信号を設定する。
【００４１】
これにより、実際に通信を行うスロット１の外、通信を行わないスロット２〜４も、スロット１のタイミング（即ち、基地局ＣＳ１のタイミング）に同期するように補正され、図４（ａ）に示すように、スロット１を使用して移動局ＰＳと基地局ＣＳ１との間の通信が行われる。
【００４２】
基地局ＣＳ１との間でスロット１を使用して通信を行っている内に、移動局ＰＳの移動に伴って受信状態が悪化すると、移動局ＰＳは、スロット１で基地局ＣＳ１との間の通信を継続した状態で、使用していないスロット２の制御チャネルをサーチし、他の基地局ＣＳ２からの制御信号を受信する。この時点で、移動局ＰＳは、同期タイミング選択回路３０Ａのセレクタ３３Ｓがスロット２のＵＷ検出信号ＤＥＴ２を選択するように、レジスタ３３Ｒの非優先ＵＷ選択信号を設定する。更に、セレクタ３４Ｓがセレクタ３３Ｓから出力される非優先ＵＷ検出信号ＮＰＤＥＴを選択するように、レジスタ３４Ｒの優先／非優先選択信号を設定する。これにより、セレクタ３４が切り替えられ、図４（ａ）に示すように、スロット２の他、使用していないスロット３，４も、スロット２のタイミング（即ち、基地局ＣＳ２のタイミング）に同期するように補正される。
【００４３】
次に、移動局ＰＳは、基地局ＣＳ２との間で制御チャネルのスロット２を使用してハンドオーバー処理を行い、切り替え先の通信チャネルのスロット３を指定されたとする。移動局ＰＳは、スロット３に対応する受信チャネル選択信号ＲＣＨと送信チャネル選択信号ＴＣＨを指定された通信チャネルに設定すると共に、この指定された通信チャネルのスロット３のタイミングでアイドルバーストを送信する。この時、スロット３のタイミングは、非優先ＵＷ検出信号ＮＰＤＥＴ、即ちスロット２の基地局ＣＳ２のＵＷ検出信号ＤＥＴ２に補正されている。従って、図４（ｃ）に示すように、移動局ＰＳからスロット３で送信されたアイドルバーストは、基地局ＣＳ２で正常に受信することができる。
【００４４】
以上のように、この実施例１の無線送受信機は、ＵＷ検出信号ＤＥＴ１〜ＤＥＴ４の中から任意のＵＷ検出信号を非優先ＵＷ検出信号ＮＰＤＥＴとして選択するセレクタ３３Ｓと、この非優先ＵＷ検出信号ＮＰＤＥＴと優先ＵＷ検出信号ＰＤＥＴのいずれか一方を選択するセレクタ３４Ｓと、スロット１〜４毎に対応するＵＷ検出信号ＤＥＴ１〜ＤＥＴ４またはセレクタ３４Ｓの出力信号のいずれか一方を選択して補正タイミング信号ＣＭＰ１〜ＣＭＰ４を出力するセレクタ３１１〜３１４で構成される同期タイミング選択回路３０Ａを備えている。これにより、優先ＵＷ選択回路２０での優先ＵＷ検出信号ＰＤＥＴを切り替えることなくハンドオーバー処理を行うことができるという利点がある。
【実施例２】
【００４５】
図５は、本発明の実施例２を示す同期タイミング選択回路の構成図である。この同期タイミング選択回路３０Ｂは、図１中の同期タイミング選択回路３０Ａに代えて設けられるものである。
【００４６】
この同期タイミング選択回路３０Ｂは、ＵＷ検出回路１０から出力されるＵＷ検出信号ＤＥＴ１〜ＤＥＴ４の内から非優先ＵＷ選択信号に従って１つのＵＷ検出信号を選択して出力する４組のセレクタ３５Ｓ１，３５Ｓ２，３５Ｓ３，３５Ｓ４と、これらの各セレクタ３５Ｓ１〜３５Ｓ４に対する非優先ＵＷ選択信号を設定するためのレジスタ３５Ｒを有している。セレクタ３５Ｓ１〜３５Ｓ４の出力側は、それぞれセレクタ３６Ｓ１，３６Ｓ２，３６Ｓ３，３６Ｓ４の第１入力側に接続され、これらのセレクタ３６Ｓ１〜３６Ｓ４の第２入力側には、優先ＵＷ検出信号ＰＤＥＴが与えられるようになっている。
【００４７】
セレクタ３６Ｓ１〜３６Ｓ４は、レジスタ３６Ｒに設定された優先／非優先選択信号によって個別に第１または第２入力側の信号を選択して出力するもので、これらのセレクタ３６Ｓ１〜３６Ｓ４の出力側が、それぞれセレクタ３７Ｓ１，３７Ｓ２，３７Ｓ３，３７Ｓ４の第１入力側に接続されている。セレクタ３７Ｓ１〜３７Ｓ４の第２入力側には、それぞれＵＷ検出信号ＤＥＴ１〜ＤＥＴ４が与えられている。セレクタ３７Ｓ１〜３７Ｓ４は、レジスタ３７Ｒに設定された補正オン／オフ選択信号によって個別に第１または第２入力側の信号を選択して出力するもので、これらのセレクタ３７Ｓ１〜３７Ｓ４の出力側から、それぞれ補正タイミング信号ＣＭＰ１〜ＣＭＰ４が出力されるようになっている。なお、レジスタ３５Ｒ，３６Ｒ，３７Ｒの値は、ＣＰＵ６から設定されるようになっている。
【００４８】
この同期タイミング選択回路３０Ｂでは、レジスタ３５Ｒ〜３７Ｒの設定値により、スロット毎に補正タイミング信号ＣＭＰ１〜ＣＭＰ４として使用するＵＷ検出信号ＤＥＴ１〜ＤＥＴ４を自由に選択できる構成となっている。これにより、実施例１と同様の利点を有すると共に、実施例１よりも更に選択の自由度が増加するという利点がある。
【実施例３】
【００４９】
図６は、本発明の実施例３を示す同期タイミング選択回路の構成図である。この同期タイミング選択回路３０Ｃは、図５と同様に、図１中の同期タイミング選択回路３０Ａに代えて設けられるものである。
【００５０】
この同期タイミング選択回路３０Ｃは、ＵＷ検出回路１０から出力されるＵＷ検出信号ＤＥＴ１〜ＤＥＴ４と優先ＵＷ選択回路３０から出力される優先ＵＷ検出信号ＰＤＥＴの内の４つから、ＵＷ選択信号に従って１つの検出信号を選択して出力する４組のセレクタ３８Ｓ１，３８Ｓ２，３８Ｓ３，３８Ｓ４と、これらの各セレクタ３８Ｓ１〜３８Ｓ４に対するＵＷ選択信号を設定するためのレジスタ３８Ｒを有している。
【００５１】
セレクタ３８Ｓ１は、ＵＷ検出信号ＤＥＴ２〜ＤＥＴ４と優先ＵＷ検出信号ＰＤＥＴの内の１つを選択するものである。セレクタ３８Ｓ２は、ＵＷ検出信号ＤＥＴ１，ＤＥＴ３，ＤＥＴ４と優先ＵＷ検出信号ＰＤＥＴの内の１つを選択するものである。セレクタ３８Ｓ３は、ＵＷ検出信号ＤＥＴ１，ＤＥＴ２，ＤＥＴ４と優先ＵＷ検出信号ＰＤＥＴの内の１つを選択するものである。セレクタ３８Ｓ４は、ＵＷ検出信号ＤＥＴ１〜ＤＥＴ３と優先ＵＷ検出信号ＰＤＥＴの内の１つを選択するものである。セレクタ３８Ｓ１〜３８Ｓ４の出力側は、それぞれセレクタ３９Ｓ１，３９Ｓ２，３９Ｓ３，３９Ｓ４の第１入力側に接続されている。セレクタ３９Ｓ１〜３９Ｓ４の第２入力側には、それぞれＵＷ検出信号ＤＥＴ１〜ＤＥＴ４が与えられている。セレクタ３９Ｓ１〜３９Ｓ４は、レジスタ３９Ｒに設定された補正オン／オフ信号に従って個別に第１または第２入力側の信号を選択して出力するもので、これらのセレクタ３９Ｓ１〜３９Ｓ４の出力側から、それぞれ補正タイミング信号ＣＭＰ１〜ＣＭＰ４が出力されるようになっている。なお、レジスタ３８Ｒ，３９Ｒの値は、ＣＰＵ６から設定されるようになっている。
【００５２】
この同期タイミング選択回路３０Ｃでは、レジスタ３８Ｒ〜３９Ｒの設定値により、スロット毎に補正タイミング信号ＣＭＰ１〜ＣＭＰ４として使用するＵＷ検出信号ＤＥＴ１〜ＤＥＴ４を自由に選択できる構成となっている。これにより、実施例２よりも少ない数のセレクタで、実施例２と同様に選択の自由度が大きいという利点がある。
【００５３】
また実施例２に比べて、選択信号の設定誤りによる矛盾した状態が発生しないという利点がある。実施例２では、例えば、スロット１の補正をオフにするためにセレクタ３７Ｓ１を第１入力側に切り替えた場合、セレクタ３５Ｓ１でＵＷ検出信号ＤＥＴ１を選択し、セレクタ３６Ｓ１で非優先側である第１入力側を選択すると、ＵＷ検出信号ＤＥＴ１が補正タイミング信号ＣＭＰ１として出力される。即ち、補正をオフに設定したにも拘らず、ＵＷ検出信号ＤＥＴ１で補正されるという矛盾が生ずる。これに対して、この実施例３では、スロット１の補正をオフにするためにセレクタ３９Ｓ１を第１入力側に切り替えた場合、セレクタ３８Ｓ１から出力されるＵＷ検出信号は、ＵＷ検出信号ＤＥＴ２〜４または優先ＵＷ検出信号ＰＤＥＴの内のいずれかである。従って、ＵＷ検出信号ＤＥＴ１が補正タイミング信号ＣＭＰ１として出力されるという矛盾は生じない。
【００５４】
なお、本発明は、上記実施例１〜３に限定されず、種々の変形が可能である。この変形例としては、例えば、次のようなものがある。
（１）  移動局ＰＳの構成は一例であり、同期タイミング選択回路を有するＴＤＭＡ方式の送受信機であれば、無線、有線を問わず同様に適用することができる。
（２）  タイムスロットが４個の場合を説明したが、更に多数のタイムスロットを有する場合には、セレクタの入力数をそのタイムスロット数に合わせる必要がある。
【図面の簡単な説明】
【００５５】
【図１】本発明の実施例１を示す無線送受信機の概略の構成図である。
【図２】従来の無線送受信機の概略の構成図である。
【図３】図２の動作説明図である。
【図４】図１の無線送受信機におけるハンドオーバー処理の動作説明図である。
【図５】本発明の実施例２を示す同期タイミング選択回路の構成図である。
【図６】本発明の実施例３を示す同期タイミング選択回路の構成図である。
【符号の説明】
【００５６】
１０    ＵＷ検出回路
２０    優先ＵＷ選択回路
３０Ａ，３０Ｂ，３０Ｃ    同期タイミング選択回路
３１，３３Ｓ，３４Ｓ，３５Ｓ，３６Ｓ，３７Ｓ，３８Ｓ，３９Ｓ    セレクタ
３２，３３Ｒ，３４Ｒ，３５Ｒ，３６Ｒ，３７Ｒ，３８Ｒ，３９Ｒ    レジスタ
４０    タイミング制御回路
【図１】
2007150532.tif 000003
【図２】
2007150532.tif 000004
【図３】
2007150532.tif 000005
【図４】
2007150532.tif 000006
【図５】
2007150532.tif 000007
【図６】
2007150532.tif 000008